(57)【要約】      （修正有）【課題】搬送時に工作機械から分離するカバー構造体における構成部材の個数を減ら、工作機械に取り付けたまま搬送するカバー構造体の高さを低くして搬送を容易にしたカバー構造体を提供する。【解決手段】カバー構造体１は、左右側面パネル１４，１５が、それぞれ上部側面パネル１４ｂ，１５ｂと下部側面パネル１４ａ，１５ａとからなり、下部側面パネル１４ａ，１５ａが支持枠９，９と上部ビームとからなる門型のシャッターフレーム１１およびベッド２に支持され、上部側面パネル１４ｂ、１５ｂが下部側面パネル１４ａ，１５ｂに対して着脱可能に連結されており、シャッターフレーム１１の各支持枠９，９が下部支持枠９ａ，９ａに上部支持枠９ｂ，９ｂをヒンジ１９によって連結されてなり、各上部支持枠９ｂ，９ｂが、上部ビームを伴ってテーブルの前後方向に沿う垂直面内において下部支持枠９ａ，９ａに対して起倒可能に設けられた構成とされている。【選択図】図９
2008149401.tif 000002
【特許請求の範囲】
【請求項１】
工作機械のベッドに固定して立設された左右一対の支持枠の上端部間に上部ビームを掛け渡して形成された門型のシャッターフレームに、扉を開閉自在に装着してなり、工作機械のテーブルの前面側を覆う前面シャッターと、前記シャッターフレームの両側および前記ベッドの少なくとも一方に支持されて前記テーブルの左右側面側を覆う左側面パネルおよび右側面パネルとを備えたカバー構造体であって、
前記左右側面パネルは、それぞれ、上部側面パネルと下部側面パネルとからなり、該下部側面パネルが前記シャッターフレームおよび前記ベッドの少なくとも一方に支持され、前記上部側面パネルが下部側面パネルに対してその上部に載置されて着脱可能に連結されており、また、前記シャッターフレームの各支持枠が下部支持枠に上部支持枠をヒンジによって連結されてなり、各上部支持枠が、前記上部ビームを伴って前記テーブルの前後方向に沿う垂直面内において下部支持枠に対して起倒可能に設けられていることを特徴とする工作機械のカバー構造体。
【請求項２】
前記各上部支持枠は、テーブルの後面側へ向けて倒されて下部支持枠に平行に沿った状態とされ、先端部を下部支持枠に固定されるようになっていることを特徴とする請求項１に記載の工作機械のカバー構造体。
【請求項３】
前記前面シャッターには、シャッターフレームの各支持枠に設けられた案内レールに沿って、複数の扉が上下方向に開閉可能に設けられ、該各扉は前記上部支持枠を倒す際に前記下部支持枠内に収納可能とされていることを特徴とする請求項１または２に記載の工作機械のカバー構造体。
【請求項４】
前記テーブルの後面側には、前記ベッド上に設けられたコラムとテーブルとの間の両外側領域を覆う一対の側面扉パネルが、前記ベッドおよびコラムの少なくとも一方の両側に着脱可能に固定されていることを特徴とする請求項１〜３のいずれかに記載の工作機械のカバー構造体。
【発明の詳細な説明】
【技術分野】
【０００１】
本発明は、マシニングセンタ等の工作機械のベッド等に取り付けられてテーブルを覆うスプラッシュガード等のカバー構造体に関するものである。
【背景技術】
【０００２】
この種のカバー構造体は工作機械が大型になれば必然的に大きくなり、カバー構造体をベッドに取り付けたままでは、運搬車両の積み荷サイズの制限によって、工作機械を製造工場から需要先の生産工場へ搬送することができない。
そこで、従来、前記カバー構造体として、テーブルの中央の前面側を覆う中央カバー部と、テーブルの左側面側を覆う左カバー部と、テーブルの右側面側を覆う右カバー部とに３分割可能に構成し、工作機械の搬送時には、中央カバー部のみをベッドに取り付けたままとし、左カバー部と右カバー部とをベッドから取り外して、横幅寸法を工作機械幅と同じにし、トレーラー等の運搬車両によって、その荷台からはみ出すことなく搬送することができるようにしたものが知られている（例えば、特許文献１参照）。
【特許文献１】特開平８−１５５７８１号公報
【発明の開示】
【発明が解決しようとする課題】
【０００３】
しかしながら、従来の工作機械のカバー構造体においては、運搬車両を考慮して横幅寸法を縮小させることができるものの、高さ寸法が高い場合には、前記中央カバーが高さ制限を超えることがあり、中央カバー部を工作機械のベッドに取り付けられたままでは搬送することができない。この場合には、工作機械の搬送時に、前記中央カバー部をもベッドから取り外すことを余儀なくされ、工作機械から分離したカバー構造体の洗浄、梱包を行うのに中央カバー部の分だけ余分に手間が掛かかると共に、需要先の生産工場において中央カバー部も再組立を行う必要があるため、それに要する手間、時間も少なからず掛かる問題がある。また、前記中央カバー部は、中央部に扉で開閉される開口部が設けられているため、自体の強度が弱くて搬送に耐えられず、適当な出荷固定具で補強する必要があり、工作機械の付属品以外の余分な部品を用意しなければならないという問題がある。
【０００４】
本発明は、上記事情に鑑みてなされたものであって、工作機械の搬送時に工作機械から分離するカバー構造体における構成部材の個数を減らすと共に、工作機械に取り付けたまま搬送する前記構成部材の高さを低くして、工作機械と一緒に容易に搬送し得るようにした工作機械のカバー構造体を提供することを目的とする。
【課題を解決するための手段】
【０００５】
本発明は、前記課題を解決するために、以下の構成としたことを特徴とする。
すなわち、請求項１に係る工作機械のカバー構造体は、工作機械のベッドに固定して立設された左右一対の支持枠の上端部間に上部ビームを掛け渡して形成された門型のシャッターフレームに、扉を開閉自在に装着してなり、工作機械のテーブルの前面側を覆う前面シャッターと、前記シャッターフレームの両側および前記ベッドの少なくとも一方に支持されて前記テーブルの左右側面側を覆う左側面パネルおよび右側面パネルとを備えたカバー構造体であって、前記左右側面パネルが、それぞれ、上部側面パネルと下部側面パネルとからなり、該下部側面パネルを前記シャッターフレームおよび前記ベッドの少なくとも一方に支持され、前記上部側面パネルを下部側面パネルに対してその上部に載置されて着脱可能に連結されており、また、前記シャッターフレームの各支持枠が下部支持枠に上部支持枠をヒンジによって連結されてなり、各上部支持枠が、前記上部ビームを伴って前記テーブルの前後方向に沿う垂直面内において下部支持枠に対して起倒可能に設けられていることを特徴としている。
【０００６】
請求項２に係る工作機械のカバー構造体は、請求項１に記載のカバー構造体において、前記各上部支持枠が、テーブルの後面側へ向けて倒されて下部支持枠に平行に沿った状態とされ、先端部を下部支持枠に固定されるようになっていることを特徴としている。
【０００７】
請求項３に係る工作機械のカバー構造体は、請求項１または２に記載のカバー構造体において、前記前面シャッターには、シャッターフレームの各支持枠に設けられた案内レールに沿って、複数の扉が上下方向に開閉可能に設けられ、該各扉は前記上部支持枠を倒す際に前記下部支持枠内に収納可能とされていることを特徴としている。
【０００８】
請求項４に係る工作機械のカバー構造体は、請求項１〜３のいずれかに記載のカバー構造体において、前記テーブルの後面側には、前記ベッド上に設けられたコラムとテーブルとの間の両外側領域を覆う一対の側面扉パネルが、前記ベッドおよびコラムの少なくとも一方の両側に着脱可能に固定されていることを特徴としている。
【発明の効果】
【０００９】
本発明は以下の優れた効果を奏する。
すなわち、請求項１に係る工作機械のカバー構造体によれば、左右側面パネルの上部側面パネルを下部側面パネルから分離すると共に、前面シャッターにおけるシャッターフレームの上部支持枠を下部支持枠に対して倒すことにより、門型のシャッターフレームの高さを低くすることができるので、前記左右側面パネルや前面シャッターの高さが高い場合であっても、高さの制限を受けることなく、前記側面パネルの主要部や前面シャッターを工作機械に取り付けた状態で容易に搬送することができる。これにより、工作機械の搬送に際して、工作機械から分離するカバー構造体の構成部材の個数を減らして工作機械の分解、再組立に要する手間を低減し、梱包ミスや組立間違いを減少させることができる。また、門型のシャッターフレームは、上部支持枠を下部支持枠に対して倒した場合でも、上部ビームが一対の支持枠を相互に連結した状態に保つので、前記上部ビームが工作機械に取り付けた状態で搬送されるカバー構造体に対する出荷固定具の機能を果たし、荷造専用の出荷固定具を用意することなく、工作機械と一緒に搬送されるカバー構造体の剛性を搬送に耐えるものとすることができる。
【００１０】
請求項２に係る工作機械のカバー構造体によれば、上部支持枠をテーブルの後面側方向へ倒してその先端部を下部支持枠に固定するので、前面シャッターの外面より外側に突き出す部材を無くすことができると共に、工作機械の搬送中、高さを低くした門型シャッターフレームを剛性をしっかりと確保することができる。
【００１１】
請求項３に係る工作機械のカバー構造体によれば、工作機械の搬送時には、複数の扉を下降させてシャッターフレームの下部支持枠内に格納することができるので、前記扉をシャッターフレームから取り外さなくても容易に前面シャッターの高さを低くすることができ、カバー構造体の分解、洗浄、包装、再組立が一層容易となる。
【００１２】
請求項４に係る工作機械のカバー構造体によれば、前記テーブルの後面とコラムとの間の両外側領域を覆う一対の側面扉パネルを設ける場合に、それらの側面扉パネルの高さが高くても、それらをベッドまたはコラムから取り外すことにより、工作機械の搬送に支障を来すことがない。
【発明を実施するための最良の形態】
【００１３】
以下、本発明の一実施の形態に係る工作機械のカバー構造体について添付図面を参照して説明する。
図１〜図４は本発明の一実施の形態に係る工作機械のカバー構造体１を示す。このカバー構造体１は、例えば、ベッド２の前側上面にＸ軸方向（図１，図３で左右方向、図２で紙面に垂直な方向）に移動自在に設けられたテーブル３と、前記ベッド２の後側上面にＺ軸方向（図２で左右方向、図３で上下方向）に移動自在に設けられたコラム４と、該コラムの前面にＹ軸方向（図１、図２で上下方向）に移動自在に支持された主軸ヘッド５と、前記コラム４の横に設置された工具マガジン６から前記主軸ヘッド５の主軸５ａとの間で工具Ｔを工具交換アーム７によって交換する工具交換装置ＡＴＣ等とを備えた横型のマシニングセンタである工作機械８の前記テーブル３の周囲を覆うように設備されている。
【００１４】
すなわち、前記カバー構造体１は、工作機械８のベッド２に固定して立設された左右一対の支持枠９，９の上端部間に上部ビーム１０を掛け渡して形成された門型のシャッターフレーム１１に、一対の扉１２ａ，１２ｂを上下に開閉自在に装着してなり、前記工作機械８のテーブル３（ワーク加工領域）の前面側を覆う前面シャッター１３と、前記シャッターフレーム１１の両側および前記ベッド２に支持されて前記テーブル３の左右側面側を覆う左側面パネル１４および右側面パネル１５と、前記テーブル３の後面側において前記コラム４とテーブル３との間の両外側領域を覆う一対の左右側面扉パネル１６，１７と、前記前面シャッター１３と左右側面パネル１４，１５とで囲まれた空間の上方を覆う上面パネル１８とを備えている。
【００１５】
前記シャッターフレーム１１の各支持枠９，９は、長尺の下部支持枠９ａ，９ａの上端に、短尺の上部支持枠９ｂ，９ｂがヒンジ１９，１９（図４参照）によって連結されてなり、前記下部支持枠９ａ，９ａがそれらの下端を前記ベッド２の前側にブラケット９ｃを介して固定され、前記上部支持枠９ｂ，９ｂが、それらの上端どうし間に掛け渡した前記上部ビーム１０によって連結され、前記ヒンジ１９，１９を介して前記上部ビーム１０と一緒に、前記テーブル３の前後方向（前記コラム４の移動方向であるＺ軸方向）に沿う垂直面内において下部支持枠９ａ，９ａに対して起倒可能に設けられている。
なお、前記下部支持枠９ａ，９ａの上部に垂直状に起立した上部支持枠９ｂ，９ｂは、図５に示すように、それらの下端部が、前記ヒンジ１９，１９の反対側において、ボルトＢにより下部支持枠９ａ，９ａの上端部に着脱自在に連結されるようになっている。
【００１６】
前記各支持枠９，９は、横断面がコ字状（溝型状）に形成されて互いの開口部側を向かい合わせて配設され、前記開口部側に上下方向に沿って前後（図５〜図７で左右方向）に位置された２条の溝からなる案内レール２０ａ，２０ｂが設けられており、前記一対の扉１２ａ，１２ｂが、それらの左右の両端部に設けた被案内部１２ｃを、前記各案内レール２０ａ，２０ｂに案内支持されて上下に移動自在に設けられている。そして、前記各扉１２ａ，１２ｂは、詳細は図示しないが、一方（図１、図３で右側、図４で左側）の前記上部支持枠９ｂに取り付けたモータ２１によってチェーン伝動機構２２を介して上下動されて、前記テーブル３の前側の空間を上下に開閉するようになっている。また、前記各扉１２ａ，１２ｂは、それぞれ左右に透明板を取り付けた一対の窓１２ｄ，１２ｄが設けられている。
【００１７】
なお、前記上部ビーム１０は矩形断面を有する一対の部材１０ａ，１０ｂで形成され、その前側下部の部材１０ｂの上方に前記各扉１２ａ，１２ｂを昇降させるためのチェーン伝動機構２２の一部（スプロケットの回転軸２２ａ等）が配置されている。また、前側の扉１２ａの下端には、前記テーブル３の前面両側部を覆う一対のカバー１２ｅ，１２ｅが設けられている。該各カバー１２ｅ，１２ｅは、テーブル３の前側に２面パレット交換装置を設置しない場合には取り外される。また、前記前面シャッター１３の下部には、前記各下部支持枠９ａ，９ａに支持されて、前記テーブル３側が低くなるように傾斜されたカバー１２ｆが、前記カバー１２ｅ，１２ｅの下位に位置して設けられている。
【００１８】
また、前記上部支持枠９ｂ，９ｂの上端部の前側位置には、前記上部ビームを覆う前面板１０ｃが、前記上部支持枠９ｂ，９ｂの間に掛け渡して設けられている。
さらに、前記各下部支持枠９ａ，９ａの上端部の対向面側には、該下部支持枠９ａ，９ａ内に収納した各扉１２ａ，１２ｂを下部支持枠９ａ，９ａに固定する固定金具２３がボルトで着脱し得るようになっており、また、前記各下部支持枠９ａ，９ａにおけるテーブル３の後面側（コラム４側）を向く面の上方位置には、テーブル３の後面側に倒した前記上部支持枠９ｂ，９ｂを固定するための固定ブラケット２４がボルトで固定されている。
【００１９】
前記左側面パネル１４は、下部の左側面パネル１４ａと上部の左側面パネル１４ｂとからなり、下部の左側面パネル１４ａは、前面板１４ａ１と側面板１４ａ２と底板１４ａ３とを備えて平面視でＬ字型に形成され、前面板１４ａ１の内端部が前記左側の下部支持枠９ａにボルト等により固定されると共に、側面板１４ａ２の下辺がベッド２の左側面にボルト等により固定されている。前記底板１４ａ３は内端側が低くなるようにして前記テーブル３の左側の伸縮カバー３ａの上面近くに向けて傾斜されている。前記上部の左側面パネル１４ｂは、前面板１４ｂ１と側面板１４ｂ２と天板１４ｂ３とを備えて、水平断面視でコ字状に形成され、前記下部の左側面パネル１４ａ上に載置されて、下端部を下部の左側面パネル１４ａの上端にボルト等により着脱可能に連結されている。なお、前記側面板１４ａ２には透明板を装着した上下一対の窓１４ｂ４，１４ｂ４（図９参照）が設けられている。また、前記天板１４ｂ３の前記左側の支持枠９の上端部に対応する角部には、前記前面シャッター１３の各扉１２ａ，１２ｂが上方に突き出すことを可能とする切欠部１４ｂ５が設けられている。
【００２０】
前記右側面パネル１５は、前記左側面パネル１４と略対称に形成され、下部の右側面パネル１５ａと上部の右側面パネル１５ｂとからなり、下部の右側面パネル１５ａは、前面板１５ａ１と側面板１５ａ２と底板１５ａ３とを備えて水平断面視でＬ字型に形成され、前面板１５ａ１の内端部が前記右側の下部支持枠９ａにボルト等により固定されると共に、側面板１５ａ２の下辺がベッド２の右側面にボルト等により固定されている。前記底板１５ａ３は内端側が低くなるようにして前記テーブル３の右側の伸縮カバー３ｂの上面近くに向けて傾斜されている。前記上部の左側面パネル１５ｂは、前面板１５ｂ１と側面板１５ｂ２と天板１５ｂ３とを備えて、水平断面視でコ字状に形成され、前記下部の右側面パネル１５ａ上に載置されて、下端部を下部の右側面パネル１５ａの上端にボルト等により着脱可能に連結されている。なお、前記側面板１５ｂ２には透明板を装着した上下一対の窓１５ｂ４，１５ｂ４が設けられている。
また、前記天板１５ｂ３の前記右側の支持枠９の上端部に対応する角部には、前記前面シャッター１３の各扉１２ａ，１２ｂが上方に突き出すことを可能とすると共に前記各扉１２ａ，１２ｂの昇降用のモータ２２を収容するための切欠凹部１５ｂ５が設けられている。
【００２１】
前記左側面扉パネル１６は、前記テーブルの左後面側とベッド２の左側面側の二方を開放された箱形に形成されて、前記左側面パネル１４の後端部と前記ベッド２の左側面にボルト等により着脱可能に固定された左後面パネル１６ａと、該左後面パネル１６ａの後側に一体に結合されて、前記工具交換装置ＡＴＣの工具交換アーム７の移動空間をあけてその周囲を覆う工具交換装置用パネル１６ｂとを備えている。該工具交換用パネル１６ｂの上下方向の中間部には透明板を付けた窓１６ｃが設けられている。また、前記右側面扉パネル１７は、前記テーブル３の右後面側とベッド２の右側面側の二方を開放された箱形に形成されて、前記右側面パネル１５の後端部と前記ベッド２の右側面にボルト等により着脱可能に固定されており、その中央部には透明板を装着した窓１７ａを有する扉１７ｂがコラム４の前後方向（Ｚ軸方向）にスライド開閉できるように設けられている。また、前記右側面扉パネル１７の下部の外側には、作業者の乗り降りする段付きのステップ１７ｃが取り付けられている。なお、該ステップ１７ｃの下部外周側には、床面に接地する複数の支脚１７ｄが螺着されている。
【００２２】
また、前記上面パネル１８は、左右に並べられた３つの矩形平板状のパネル１８ａ，１８ｂ，１８ｃからなり、前記左後面パネル１６ａおよび右側面扉パネル１７と前記上部ビーム１０の上部とに掛け渡した複数の縦支持板２５とに支持されて、それらに着脱自在に固定されている。なお、左右の両側のパネル１８ａ，１８ｃはそれぞれ前記上部の左側面パネル１４ｂと上部の右側面パネル１５ｂの上面にも取ると等により着脱自在に固定されている。
【００２３】
前記のように構成されたカバー構造体１は、工作機械８が製造工場から需要先の生産工場へ出荷搬送される場合には、図９に示すように、前記上面パネル１８の各パネル１８ａ，１８ｂ，１８ｃを前記縦支持板２５から取り外すと共に、該縦支持板２５を前記左後面パネル１６ａと右側面扉パネル１７の上面と前記上部ビーム１０の上部から取り外す。しかる後に、左右側面扉パネル１６、１７を前記左右側面パネル１４，１５とベッド２の両側面から取り外す。次に、左右側面パネル１４，１５の下部の左右側面パネル１４ａ，１５ａから上部の左右側面パネル１４ｂ，１５ｂを取り外す。そして、前記コラム４を前記ベッド２から取り外す。
【００２４】
そして、前記前面シャッター１３の各扉１２ａ，１２ｂを、最下端位置まで下降させて、それらの下端部をストッパーに当接させた状態として、図６、図７に示すように、各下部支持枠９ａ，９ａの上部に前記固定金具２３を取り付け、該固定金具２３に前記各扉１２ａ，１２ｂの上端部をボルトで固定することにより、下部支持枠９ａ，９ａに固定する。しかる後に、前記支持枠９，９の下部支持枠９ａ，９ａに上部支持枠９ｂ，９ｂを連結しているボルトＢを取り外してから、下部支持枠９ａ，９ａに対して上部支持枠９ｂ，９ｂを、図５に示す垂直上方に位置する状態から、図６に示す平行状態になるまでヒンジ１９を介して内側（前記テーブル３の後面側）へ倒して、その先端部（図６で下端部）を下部支持枠９ａ，９ａの内側の固定ブラケット２４にボルトで固定する。
このようにして、前記前面シャッター１３および前記左右側面パネル１４，１５の各下部側面パネル１４ａ，１５ａだけを前記ベッド２に取り付けた状態にすることにより、最大荷造高さを低くして工作機械８を高さの制限を受けることなく搬送することができる。工作機械８から分離した前記カバー構造体１のうちの左右の上部側面パネル１４ｂ，１５ｂ、左右側面扉パネル１６，１７は、それぞれ個別に洗浄、梱包して搬送する。
【００２５】
以上説明したように、前記実施の形態に係る工作機械のカバー構造体１は、工作機械８のベッド２に固定して立設された左右一対の支持枠９，９の上端部間に上部ビーム１０を掛け渡して形成された門型のシャッターフレーム１１に、一対の扉１２ａ，１２ｂを開閉自在に装着してなり、工作機械８のテーブル３の前面側を覆う前面シャッター１３と、前記シャッターフレーム１１の両側および前記ベッド２の少なくとも一方に支持されて前記テーブル３の左右側面側を覆う左側面パネル１４および右側面パネル１５とを備え、前記左右側面パネル１４，１５がそれぞれ上部側面パネル１４ｂ，１５ｂと下部側面パネル１４ａ，１５ａとからなり、該下部側面パネル１４ａ，１５ａが前記シャッターフレーム１１および前記ベッド２の少なくとも一方に支持され、前記上部側面パネル１４ｂ，１５ｂが下部側面パネル１４ａ，１５ａに対して着脱可能に連結されており、また、前記シャッターフレーム１１の各支持枠９，９が下部支持枠９ａに上部支持枠９ｂをヒンジ１９によって連結してなり、各上部支持枠９ｂ，９ｂが、前記上部ビーム１０を伴って前記テーブル３の前後方向に沿う垂直面内において下部支持枠９ａ，９ａに対して起倒可能に設けられた構成とされている。
【００２６】
したがって、前記実施の形態に係る工作機械のカバー構造体１によれば、左右側面パネル１４，１５の各上部側面パネル１４ｂ，１５ｂを下部側面パネル１４ａ，１５ａから分離すると共に、前面シャッター１３におけるシャッターフレーム１１の上部支持枠９ｂ，９ｂを下部支持枠９ａ，９ａに対して倒すことにより、門型のシャッターフレーム１１の高さを低くすることができるので、前記左右側面パネル１４，１５や前面シャッター１３の高さが高い場合であっても、高さの制限を受けることなく、前記左右側面パネル１４，１５の主要部や前面シャッター１３を工作機械８の取り付けた状態で支障なく、容易に搬送することができる。
【００２７】
これにより、工作機械８の搬送に際して、工作機械８から分離するカバー構造体の構成部材の個数を減らして工作機械８の分解、再組立に要する手間を低減し、梱包ミスや組立間違いを減少させることができる。また、門型のシャッターフレーム１１は、上部支持枠９ｂ，９ｂを下部支持枠９ａ，９ａに対して倒した場合でも、上部ビーム１０が一対の支持枠９，９を相互に連結した状態に保つので、前記上部ビーム１０が工作機械８に取り付けた状態で搬送されるカバー構造体１に対する出荷固定具の機能を果たし、荷造専用の出荷固定具を用意することなく、工作機械８と一緒に搬送されるカバー構造体１の剛性を搬送に耐えるものとすることができる。
【００２８】
また、前記カバー構造体１によれば、前記各上部支持枠９ｂ，９ｂは、テーブル３の後面側へ向けて倒されて下部支持枠９ａ，９ａに平行に沿った状態とされ、先端部を下部支持枠９ａ，９ａに固定される構成とされているので、上部支持枠９ｂ，９ｂをテーブル３の後面側（コラム４側）に倒してその先端部を下部支持枠９ａ，９ａに固定することにより、前面シャッター１２ａ，１２ｂの外面より外側に突き出す部材を無くすことができると共に、工作機械８の搬送中、高さを低くした門型シャッターフレーム１１の剛性をしっかりと確保することができる。なお、前記のとおり、上部支持枠９ｂ，９ｂはテーブル３の後面側に倒すようにするのが好ましいが、上記と反対側（前面シャッター１３の外側方向）へ倒すようにすることもできる。
【００２９】
また、前記カバー構造体１によれば、前記前面シャッター１３には、シャッターフレーム１１の各支持枠９，９に設けられた案内レール２０ａ，２０ｂに沿って、一対の扉１２ａ，１２ｂが上下方向に開閉可能に設けられ、該各扉１２ａ，１２ｂは前記上部支持枠９ｂ，９ｂを倒す際に前記下部支持枠９ａ，９ａ内に収納可能とされた構成とされているので、工作機械８の搬送時には、各扉１２ａ，１２ｂを下降させてシャッターフレーム１１の下部支持枠９ａ，９ａ内に収納することができ、前記各扉１２ａ，１２ｂをシャッターフレーム１１から取り外さなくても容易に前面シャッター１３の高さを低くすることができ、カバー構造体１の分解、洗浄、包装、再組立が一層容易となる
【００３０】
また、前記カバー構造体１によれば、前記テーブル３の後面側には、前記ベッド２上に設けられたコラム４とテーブル３との間の両外側領域を覆う一対の左右側面扉パネル１６，１７が、前記ベッド２およびコラム４の少なくとも一方の両側に着脱可能に固定された構成とする場合には、前記側面扉パネル１６，１７の高さが高くても、それらをベッド２から取り外すことにより、工作機械８の搬送に支障を来すことがない。
【００３１】
本発明を適用する工作機械として横型のマシニングセンタを例にして説明したが、本発明はこれに限らず、縦型のマシニングセンタ、フライス盤、研削盤、その他の工作機械に適用することもできる。
【図面の簡単な説明】
【００３２】
【図１】本発明の一実施の形態に係る工作機械のカバー構造体を示す正面図である。
【図２】同じく右側面図である。
【図３】同じく平面図である。
【図４】図２のイ−イ断面図である。
【図５】図４のロ−ロ断面の拡大図である。
【図６】図５において前面シャッターを折り畳んだときの状態を示す断面図である。
【図７】図６のハ矢視図である。
【図８】図６のニ矢視図である。
【図９】本発明の一実施の形態に係る工作機械のカバー構造体の所要部を工作機械から分離した状態を示す斜視図である。
【符号の説明】
【００３３】
１  カバー構造体
２  ベッド
３  テーブル
４  コラム
７  工具交換アーム
８  工作機械
９  支持枠
９ａ  下部支持枠
９ｂ  上部支持枠
１０  上部ビーム
１１  シャッターフレーム
１２ａ，１２ｂ  扉
１３  前面シャッター
１４，１５  左右側面パネル
１６，１７  左右側面扉パネル
１８  上面パネル
１９  ヒンジ
２３  固定金具
２４  固定ブラケット
【図１】
2008149401.tif 000003
【図２】
2008149401.tif 000004
【図３】
2008149401.tif 000005
【図４】
2008149401.tif 000006
【図５】
2008149401.tif 000007
【図６】
2008149401.tif 000008
【図７】
2008149401.tif 000009
【図８】
2008149401.tif 000010
【図９】
2008149401.tif 000011